(57)【要約】【課題】マルチビューシステムにおけるクロストークを低減させることができる画像出力装置及び画像出力方法を提供する。【解決手段】複数の系統から画像を入力しこれらの画像を並び替えて出力する入力画像データ並び替え部と、この入力画像データ並び替え部の出力と同期する信号を発生するメガネシャッタ制御部と、連続する前記出力の色合いが近づくよう補正する補正画像生成ブロックとを備えた画像出力装置。また、マルチビューシステムにおける画像出力方法であって、複数の系統から画像を入力しこれらの画像を並び替えて出力し、かく出力された前記画像と同期する信号を発生し、連続する前記画像の色合いが近づくよう補正する画像出力方法。【選択図】  図３
2011259177.tif 000002
【特許請求の範囲】
【請求項１】
複数の系統から画像を入力しこれらの画像を並び替えて出力する入力画像データ並び替
え部と、
この入力画像データ並び替え部の出力と同期する信号を発生するメガネシャッタ制御部
と、
連続する前記出力の色合いが近づくよう補正する補正画像生成ブロックとを
備えた画像出力装置。
【請求項２】
前記補正画像生成ブロックは、R/G/Bの各成分についてそれぞれパラメータを用いた計
算により補正する請求項１に記載の画像出力装置。
【請求項３】
前記パラメータは連続する前記出力間あるいは一つの前記出力において変移する請求項
２に記載の画像出力装置。
【請求項４】
前記補正画像生成ブロックにより補正された連続する前記出力を表示する映像表示器を
更に備えた請求項１に記載の画像出力装置。
【請求項５】
マルチビューシステムにおける画像出力方法であって、
複数の系統から画像を入力しこれらの画像を並び替えて出力し、
かく出力された前記画像と同期する信号を発生し、
連続する前記画像の色合いが近づくよう補正する画像出力方法。
【発明の詳細な説明】
【技術分野】
【０００１】
本発明の実施形態は、マルチビューシステムにおけるクロストークを回避する画像出力
装置及び画像出力方法に関する。
【背景技術】
【０００２】
液晶ＴＶなどにおいて、立体視の右目用の画像と左目用の画像を生成する技術を用いて
更にマルチビューシステムが構築されてきている。
例えば特許文献１には、立体映像を視認するための視差に対応した右眼用画像及び左眼
用画像を変調光の走査により交互に画像表示部の画像表示面に表示され、画像表示面と観
察者の間に配置され、複数の領域に分割されて領域ごとに個別に開閉可能に構成された右
眼用シャッターと左眼用シャッターを有する時分割シャッターにおいて、右眼用画像また
は左眼用画像の再生時にそれぞれ対応する右眼用シャッターまたは左眼用シャッターのう
ちの変調光の走査位置に対応する部分のみが開くように、画像表示部における表示と時分
割シャッターにおける開閉が制御されて同期される構成が記載されている。即ち、シャッ
ターの開く時間を短くして立体視の右目用の画像と左目用の画像が混じらないように制御
している。
【０００３】
他方で、クロストークが顕著となるマルチビューシステムにおいて、クロストークを低
減させる技術の要望があるが、かかる要望を実現するための手段は知られていない。
【先行技術文献】
【特許文献】
【０００４】
【特許文献１】特開２０００−５０３１５号公報
【発明の概要】
【発明が解決しようとする課題】
【０００５】
本発明は、マルチビューシステムにおけるクロストークを低減させることができる画像
出力装置及び画像出力方法を提供することを目的とする。
【課題を解決するための手段】
【０００６】
上記課題を解決するために、実施形態の画像出力装置によれば、複数の系統から画像を
入力しこれらの画像を並び替えて出力する入力画像データ並び替え部と、この入力画像デ
ータ並び替え部の出力と同期する信号を発生するメガネシャッタ制御部と、連続する前記
出力の色合いが近づくよう補正する補正画像生成ブロックとを備えた。
【図面の簡単な説明】
【０００７】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】この発明の一実施形態を示すマルチビューシステムのブロック構成図。
【図４】同実施形態のマルチビューシステムの出力データの流れを示す説明図。
【図５】実施形態のマルチビューシステムの別の出力データの流れを示す説明図。
【図６】実施形態の補正画像生成ブロックを示す説明図。
【図７】従来の形態に用いられるマルチビューシステムの出力データの流れを示す説明図。
【図８】従来の形態に用いられるマルチビューシステムの出力データの流れを示す説明図その２。
【図９】実施形態のマルチビューシステムのフローチャート。
【発明を実施するための形態】
【０００８】
以下、本発明による実施形態を図１乃至図９を参照して説明する。
図１は、本発明に係わる通信装置であるネットワーク機能を備えたデジタルテレビジョ
ン放送受信装置１１１の外観と、このデジタルテレビジョン放送受信装置１１１を中心と
して構成されるネットワークシステムの一例を概略的に示している。
【０００９】
すなわち、デジタルテレビジョン放送受信装置１１１は、主として、薄型のキャビネッ
ト１１２と、このキャビネット１１２を起立させて支持する支持台１１３とから構成され
ている。そして、キャビネット１１２には、例えばＳＥＤ（Surface-conduction Electro
n-emitter Display）表示パネル，液晶表示パネル等でなる平面パネル型の映像表示器１
１４、スピーカ１１５、操作部１１６、リモートコントローラ１１７から送信される操作
情報を受ける受光部１１８等が設置されている。
【００１０】
また、このデジタルテレビジョン放送受信装置１１１には、例えばＳＤ（Secure Digit
al）メモリカード、ＭＭＣ（Multimedia Card）及びメモリスティック等の第１のメモリ
カード１１９が着脱可能となっており、この第１のメモリカード１１９に対して番組や写
真等の情報の記録再生が行なわれるようになっている。
【００１１】
さらに、このデジタルテレビジョン放送受信装置１１１には、例えば契約情報等の記録
された第２のメモリカード（ＩＣカード）１２０が着脱可能となっており、この第２のメ
モリカード１２０に対して情報の記録再生が行なわれるようになっている。
【００１２】
また、このデジタルテレビジョン放送受信装置１１１は、第１のＬＡＮ（Local Area N
etwork）端子１２１、第２のＬＡＮ端子１２２、ＵＳＢ（Universal Serial Bus）端子１
２３及びｉ．ＬＩＮＫ端子１２４を備えている。
【００１３】
このうち、第１のＬＡＮ端子１２１は、ＬＡＮ対応ＨＤＤ専用ポートとして使用される
もので、接続されたＮＡＳ（Network Attached Storage）であるＬＡＮ対応のＨＤＤ１２
５に対して、イーサネット（登録商標）により情報の記録再生を行なうために使用される
。
【００１４】
このように、ＬＡＮ対応ＨＤＤ専用ポートとしての第１のＬＡＮ端子１２１を設けるこ
とにより、他のネットワーク環境やネットワーク使用状況等に影響されることなく、ＬＡ
Ｎ対応のＨＤＤ１２５に対してハイビジョン画質による番組の情報記録を安定して行なう
ことができる。
【００１５】
また、第２のＬＡＮ端子１２２は、イーサネット（登録商標）を用いた一般的なＬＡＮ
対応ポートとして使用されるもので、例えばハブ１２６を介して、ＬＡＮ対応のＨＤＤ１
２７、コンテンツサーバー１２８、ＨＤＤ内蔵のＤＶＤ（Digital Versatile Disk）レコ
ーダ１２９等の機器を接続し、これらの機器と情報伝送を行なうために使用される。
【００１６】
なお、コンテンツサーバー１２８については、家庭内ネットワークにおいてコンテンツ
のサーバー機器として動作するための機能を持ち、さらにコンテンツのアクセスに必要な
ＵＲＩ（Uniform Resource Identifier）情報を提供するサービスを備えたＵＰｎＰ（ユ
ニバーサルプラグアンドプレイ）対応機器として構成される。
【００１７】
なお、ＤＶＤレコーダ１２９については、第２のＬＡＮ端子１２２を介して通信される
デジタル情報が制御系のみの情報であるため、デジタルテレビジョン放送受信装置１１１
との間でアナログの映像及び音声情報を伝送するために、専用のアナログ伝送路１３０を
設ける必要がある。
【００１８】
さらに、この第２のＬＡＮ端子１２２は、ハブ１２６に接続されたブロードバンドルー
タ１３１を介して、例えばインターネット等のネットワーク１３２に接続し、このネット
ワーク１３２を介してコンテンツサーバー１３３や携帯電話１３４等と情報伝送を行なう
ために使用される。
【００１９】
なお、コンテンツサーバー１３３についてはコンテンツのサーバー機器として動作する
ための機能を持ち、さらにコンテンツのアクセスに必要なＵＲＩ情報を提供するサービス
を備えたＵＰｎＰ対応機器として構成される。
【００２０】
また、上記ＵＳＢ端子１２３は、一般的なＵＳＢ対応ポートとして使用されるもので、
例えばハブ１３５を介して、携帯電話１３６、デジタルカメラ１３７、メモリカードに対
するカードリーダ／ライタ１３８、ＨＤＤ１３９、キーボード１４０等のＵＳＢ機器を接
続し、これらのＵＳＢ機器と情報伝送を行なうために使用される。
【００２１】
さらに、上記ｉ．ＬＩＮＫ端子１２４は、例えばＡＶ−ＨＤＤ１４１、Ｄ（Digital）
−ＶＨＳ（Video Home System）１４２等をシリアル接続し、これらの機器と情報伝送を
行なうために使用される。
図２は、上記したデジタルテレビジョン放送受信装置１１１の主要な信号処理系を示し
ている。
すなわち、ＢＳ／ＣＳデジタル放送受信用のアンテナ２４３で受信した衛星デジタルテ
レビジョン放送信号は、入力端子２４４を介して衛星デジタル放送用のチューナ２４５ａ
に供給される。
【００２２】
チューナ２４５ａは、制御部２６１からの制御信号により所望のチャンネルの放送信号
を選局し、この選局された放送信号をＰＳＫ（Phase Shift Keying）復調器２４５ｂに出
力する。
【００２３】
ＰＳＫ復調器２４５ｂは、制御部２６１からの制御信号により、チューナ２４５ａで選
局された放送信号を復調し、所望の番組を含んだトランスポートストリームを得て、ＴＳ
復号器２４５ｃに出力する。
【００２４】
ＴＳ復号器２４５ｃは、制御部２６１からの制御信号によりトランスポートストリーム
（ＴＳ）多重化された信号のＴＳ復号処理を行い、所望の番組のデジタルの映像信号及び
音声信号をデパケットすることにより得たＰＥＳ（Packetized Elementary Stream）を信
号処理部２４７内のＳＴＤバッファ２４７ｆへ出力する。
【００２５】
また、ＴＳ復号器２４５ｃは、デジタル放送により送られているセクション情報を信号
処理部２４７内のセクション処理部２４７ｈへ出力する。
また、地上波放送受信用のアンテナ２４８で受信した地上デジタルテレビジョン放送信
号は、入力端子２４９を介して地上デジタル放送用のチューナ２５０ａに供給される。
【００２６】
チューナ２５０ａは、制御部２６１からの制御信号により所望のチャンネルの放送信号
を選局し、この選局された放送信号をＯＦＤＭ（Orthogonal Frequency Division Multip
lexing）復調器２５０ｂに出力する。
【００２７】
ＯＦＤＭ復調器２５０ｂは、制御部２６１からの制御信号により、チューナ２５０ａで
選局された放送信号を復調し、所望の番組を含んだトランスポートストリームを得て、Ｔ
Ｓ復号器２５０ｃに出力する。
【００２８】
ＴＳ復号器２５０ｃは、制御部２６１からの制御信号によりトランスポートストリーム
（ＴＳ）多重化された信号のＴＳ復号処理を行い、所望の番組のデジタルの映像信号及び
音声信号をデパケットすることにより得たＰＥＳ（Packetized Elementary Stream）を信
号処理部２４７内のＳＴＤバッファ２４７ｆへ出力する。
【００２９】
また、ＴＳ復号器２５０ｃは、デジタル放送により送られているセクション情報をセク
ション処理部２４７ｈへ出力する。
ここで、上記信号処理部２４７は、テレビ視聴時には、ＴＳ復号器２４５ｃおよびＴＳ
復号器２５０ｃからそれぞれ供給されたデジタルの映像信号及び音声信号に対して、選択
的に所定のデジタル信号処理を施し、グラフィック処理部２５４及び音声処理部２５５に
出力している。また、信号処理部２４７は、コンテンツ再生時には、制御部２６１から入
力されたコンテンツの再生信号を選択し、所定のデジタル信号処理を施し、グラフィック
処理部２５４及び音声処理部２５５に出力している。
【００３０】
制御部２６１には、信号処理部２４７から、番組を取得するための各種データや電子番
組ガイド（ＥＰＧ）情報，番組属性情報（番組ジャンル等），字幕情報等（サービス情報
、ＳＩやＰＳＩ）が入力されている。
【００３１】
制御部２６１は、これら入力された情報からＥＰＧ，字幕を表示するため画像生成処理
を行い、この生成した画像情報をグラフィック処理部２５４へ出力する。
セクション処理部２４７ｈは、ＴＳ復号器２４５ｃ（２５０ｃ）から入力されたセクシ
ョン情報の中から、番組を取得するための各種データや電子番組ガイド（ＥＰＧ）情報，
番組属性情報（番組ジャンル等），字幕情報等（サービス情報、ＳＩやＰＳＩ）を制御部
２６１へ出力する。
【００３２】
グラフィック処理部２５４は、（１）信号処理部２４７内のＡＶデコーダ２４７ｇから
供給されるデジタルの映像信号と、（２）ＯＳＤ（On Screen Display）信号生成部２５
７で生成されるＯＳＤ信号と、（３）データ放送による画像データと、（４）制御部２６
１により生成されたＥＰＧ，字幕信号，ＧＵＩ画面とを合成して映像処理部２５８へ出力
する機能を有する。
【００３３】
また、字幕放送による字幕を表示するとき、グラフィック処理部２５４は、制御部２６
１からの制御による字幕情報に基づき、映像信号上に字幕情報を重畳する処理を行う。
【００３４】
グラフィック処理部２５４から出力されたデジタルの映像信号は、映像処理部２５８に
供給される。この映像処理部２５８は、入力されたデジタルの映像信号を、前記映像表示
器１１４で表示可能なフォーマットのアナログ映像信号に変換した後、映像表示器１１４
に出力して映像表示させるとともに、出力端子２５９を介して外部に導出させる。
【００３５】
また、上記音声処理部２５５は、入力されたデジタルの音声信号を、前記スピーカ１１
５で再生可能なフォーマットのアナログ音声信号に変換した後、スピーカ１１５に出力し
て音声再生させるとともに、出力端子２６０を介して外部に導出させる。
【００３６】
ここで、このデジタルテレビジョン放送受信装置１１１は、上記した各種の受信動作を
含むその全ての動作を制御部２６１によって統括的に制御されている。この制御部２６１
は、ＣＰＵ（Central Processing Unit）等を内蔵しており、前記操作部１１６からの操
作情報を受け、または、リモートコントローラ１１７から送出された操作情報を、前記受
光部１１８を介して受信し、その操作内容が反映されるように各部をそれぞれ制御してい
る。
【００３７】
この場合、制御部２６１は、主として、そのＣＰＵが実行する制御プログラムを格納し
たＲＯＭ（Read Only Memory）２６１ａと、該ＣＰＵに作業エリアを提供するＲＡＭ（Ra
ndom Access Memory）２６１ｂと、各種の設定情報及び制御情報等が格納される不揮発性
メモリ２６１ｃとを利用している。
【００３８】
また、この制御部２６１は、カードＩ／Ｆ（Interface）２６５を介して、前記第１の
メモリカード１１９が装着可能なカードホルダ２６６に接続されている。これによって、
制御部２６１は、カードホルダ２６６に装着された第１のメモリカード１１９と、カード
Ｉ／Ｆ２６５を介して情報伝送することができる。
【００３９】
さらに、上記制御部２６１は、カードＩ／Ｆ２６７を介して、前記第２のメモリカード
１２０が装着可能なカードホルダ２６８に接続されている。これにより、制御部２６１は
、カードホルダ２６８に装着された第２のメモリカード１２０と、カードＩ／Ｆ２６７を
介して情報伝送することができる。
【００４０】
また、上記制御部２６１は、通信Ｉ／Ｆ２６９を介して第１のＬＡＮ端子１２１に接続
されている。これにより、制御部２６１は、第１のＬＡＮ端子１２１に接続されたＬＡＮ
対応のＨＤＤ１２５と、通信Ｉ／Ｆ２６９を介して情報伝送することができる。この場合
、制御部２６１は、ＤＨＣＰ（Dynamic Host Configuration Protocol）サーバ機能を有
し、第１のＬＡＮ端子１２１に接続されたＬＡＮ対応のＨＤＤ１２５にＩＰ（Internet P
rotocol）アドレスを割り当てて制御している。
【００４１】
さらに、上記制御部２６１は、通信Ｉ／Ｆ２７０を介して第２のＬＡＮ端子１２２に接
続されている。これにより、制御部２６１は、第２のＬＡＮ端子１２２に接続された各機
器（図１参照）と、通信Ｉ／Ｆ２７０を介して情報伝送することができる。
【００４２】
また、上記制御部２６１は、ＵＳＢ  Ｉ／Ｆ２７１を介して前記ＵＳＢ端子１２３に接
続されている。これにより、制御部２６１は、ＵＳＢ端子１２３に接続された各機器（図
１参照）と、ＵＳＢ  Ｉ／Ｆ２７１を介して情報伝送することができる。
【００４３】
さらに、上記制御部２６１は、ｉ．ＬＩＮＫ  Ｉ／Ｆ２７２を介してｉ．ＬＩＮＫ端子
１２４に接続されている。これにより、制御部２６１は、ｉ．ＬＩＮＫ端子１２４に接続
された各機器（図１参照）と、ｉ．ＬＩＮＫ  Ｉ／Ｆ２７２を介して情報伝送することが
できる。
【００４４】
ところで、この実施形態では、ＬＡＮ対応のＨＤＤ１２５に初期登録時のＨＤＤ１２５
、ＨＤＤ１２７、コンテンツサーバー１２８、ＤＶＤレコーダ１２９それぞれに割り当て
られたストレージＩＤ（ＩＰアドレス、機器名を含む）を記述した登録ファイルを記憶保
持している。
【００４５】
また、不揮発性メモリ２６１ｃに、ＬＡＮ対応のＨＤＤ１２５、ＨＤＤ１２７、コンテ
ンツサーバー１２８、ＤＶＤレコーダ１２９それぞれのストレージＩＤを記憶している。
【００４６】
また、制御部２６１は、この発明に係わる機能として、ＵＰｎＰを利用した（１）サー
バー機器発見機能２６１ｄと、（２）ＵＰｎＰを利用したコンテンツ情報取得機能２６１
ｅと、（３）コンテンツアクセス制御機能２６１ｆとを備えている。
【００４７】
（１）制御部２６１は、サーバー機器発見機能２６１ｄにより、ＵＰｎＰのディスカバ
リ機能を用いてネットワーク上のＵＰｎＰ対応機器を発見する。例えばサーバー機器発見
機能２６１ｄは、ＵＰｎＰのディスカバリ機能を用いてコンテンツサーバー１２８を発見
する。
【００４８】
（２）制御部２６１は、コンテンツ情報取得機能２６１ｅにより、ＵＰｎＰのコントロ
ール機能を用いてＵＰｎＰ対応機器をコントロールし、ＵＰｎＰ対応機器内のコンテンツ
をアクセスするために必要なＵＲＩ情報を取得する。例えばコンテンツ情報取得機能２６
１ｅは、コンテンツサーバー１２８をコントロールし、コンテンツサーバー１２８内のＨ
ＤＤ等に蓄積されているコンテンツをアクセスするために必要なＵＲＩ情報をコンテンツ
サーバー１２８から取得する。
【００４９】
（３）制御部２６１は、コンテンツアクセス制御機能２６１ｆにより、サーバー機器発
見機能２６１ｄにより取得したサーバー機器のＩＰアドレス情報と、コンテンツ情報取得
機能２６１ｅにより取得したＵＲＩ情報から得たＩＰアドレス情報と、デジタルテレビジ
ョン放送受信装置１１１のＬＡＮ端子１２２に割り当てられたＩＰアドレスとネットマス
クに基づいてコンテンツへのアクセス可否判定を行う。そして制御部２６１は、アクセス
可と判断した場合にはコンテンツアクセスを許可するが、否と判断した場合には許可でき
ない旨を映像表示器１１４にＯＳＤにより表示させる。
【００５０】
さらに、上記制御部２６１は、ネットワーク上の記録再生処理を行う記録再生機器を登
録する登録部２６１ｇと、任意の記録再生位置にファイルを記録させる記録速度を測定す
る測定制御部２６１ｈとを有しておる。
【００５１】
以下、一般的なＵＳＢ対応ポートであるＵＳＢ端子１２３を用いてＵＳＢ機器であるＨ
ＤＤ１３９を接続し、ＨＤＤ１３９（以下、ＵＳＢ  ＨＤＤ１３９と記す）へ記録／再生
を行う場合について説明する。
【００５２】
しかし、本実施形態はＵＳＢに限定されるものではなく、ＩＥＥＥ１３９４やＬＡＮ−
ＨＤＤ等、他のインターフェースに適用しても良い。
なお、図１ではＵＳＢ  ＨＤＤ１３９は、ハブ１３５を介して複数のＵＳＢ機器で使用
されているが、好ましくは専用ポートとすることで、他機器の影響を受けることを防ぐこ
とができる。
【００５３】
さて本実施例は、シャッタメガネを用いたマルチビューシステムを対象とする。
同一の画像出力装置から、右目用と左目用の画像を時分割で出力させ、シャッタメガネ
を利用して右目・左目それぞれに対応した画像を見せる立体画像テレビがあるが、これを
応用して、全く異なる画像を時分割で出力させ、シャッタメガネを利用して所望の画像を
見ることができるシステム（以下、マルチビューシステム）が構成できる。このシステム
の構成は公知である（例えば、国際公開番号：WO2009/037940等）。ただし、これを実現
するにあたり、両方の画像の色合いが著しく異なる場合、時分割で表示するためにその残
像が他方の映像と重なってしまい、見づらくなってしまう。これをクロストークと呼ぶ。
立体画像テレビでは両画像の色合いの差はわずかであるが、マルチビューシステムではそ
の画像によりクロストークが顕著なものとなるおそれがある。
【００５４】
図３は実施形態のマルチビューシステムのブロック図を示す。このマルチビューシステ
ムは、入力画像データ並び替え部１、バッファメモリＡ２、バッファ制御部３、メガネシ
ャッタ制御部４、バッファメモリＢ５、補正画像生成ブロック６を備えている。なお、メ
ガネシャッタ制御部４は、転送されるデータに同期した制御信号を赤外線エミッタに送信
するものであり、他は制御部２６１と映像処理部２５８を中心として機能する構成要件で
ある。
【００５５】
入力画像データ並び替え部１は、複数の画像入力、例えば画像入力Ａ、画像入力Ｂおよ
び画像入力Ｃを入力し、並び替えて出力する。画像入力ＡとしてAm, Am+1, Am+2, Am+3と
、画像入力Ｂとして B m, B m+1, B m+2, B m+3と、また画像入力ＣとしてC m, C m+1, C
m+2, C m+3などと、それぞれ順に複数の画像が到来したとき、入力画像データ並び替え
部１は例えば、Vn＝Am, Vn+1＝Bm, Vn+2＝Cm, Vn+3＝Am+1を、出力する。
【００５６】
バッファメモリＡ２はバッファ制御部３に制御され、バッファ制御部３はメガネシャッ
タ制御部４も制御すると共に、入力画像データ並び替え部１の出力を元にVx, Vx+1を出力
する。
【００５７】
実施形態の特徴的な部分として補正画像生成ブロック６は、バッファメモリＢ５を制御
しながら、画像Vx’を出力する。補正画像生成ブロック６は、ある時刻の送信画像データ
Vxと、その次の送信画像データVx+1の各画素の中間の値（例として、正規化されたパラメ
ータa(0＜a≦1)を現画像に、および(1-a)を次画像に、それぞれに乗じた和。なお、a=1の
ときは無補正を意味する）を計算し、画像出力装置への出力を行う（必要に応じてバッフ
ァメモリＢ５に保存する）。この補正により現画像と次画像との色合いの差が少なくなる
ので、クロストークの低減を図ることができる。
【００５８】
図７は従来のマルチビューシステムの出力データの流れを示す。横軸は時間の推移であ
る。ここで「glasses mode」は、上記画像入力Ａ、画像入力Ｂおよび画像入力Ｃのデータ
に対応したメガネシャッタを開くことを示している。
【００５９】
図４は図３の改良版である。各画像データがそれぞれ上記のように補正されていること
をしめしている。
図７の応用として、液晶画面の応答速度を考慮して各画面間にそれぞれ黒画面をはさん
で表示させてクロストークを低減させることも考えられる（図８）が、この場合でも同様
の補正回路を起動させてより知覚的なクロストーク軽減をはかることができる（図５）。
【００６０】
図６は補正画像生成ブロックの説明図である。前後の画面の各画素を水平方向／垂直方
向の順でバッファメモリより取り出し、例としてR/G/Bの各成分についてそれぞれパラメ
ータa乃至(1-a)を乗じて足し合わせ、それを生成する補正画像の対応する画素として出力
する。生成した画像は必要に応じてバッファメモリに再度格納し、画像出力装置への出力
準備を行う。（メモリは前段のバッファメモリと共用することもある）
【００６１】
図９は、実施形態のマルチビューシステムのフローチャートである。制御部２６１と映
像処理部２５８を中心として、まず入力画像データの並び替えが行なわれる（ステップＳ
１１０）。
【００６２】
続いてメガネシャッタ制御信号が発生される（ステップＳ１２０）。この信号に同期し
て補正画像が生成され出力される（ステップＳ１３０）。
以上の実施形態応用としては、数画面先の画像データも補正画像生成ブロック６の入力
として、画面のマクロ的な変化に対応したパラメータを与えることもできる。これにより
、見る対象でない画像の色合いが大幅に変わった場合でも画像の変動を抑えることができ
る。
【００６３】
またパラメータaの値は固定のものではなく変動させてもよい。例えば同様な色合いが
続いたあとにこれが大幅に変わった場合には、有効であることが期待される。また、一つ
の「glasses mode」期間内で変移してもよい。
【００６４】
同一の画像出力装置から時分割で異なった画像を出力させてシャッタメガネを利用して
見たい映像を選択して見ることができるマルチビューシステムにおいて、クロストークを
回避させるために、前後の画面を参照して当該の近い色合いに変更する出力画像自体を制
御する機構を説明した。
【００６５】
この機構を実現するためのパラメータaを設定・入力できる機構を備えるのも好適であ
る。その手段としては、操作部１１６やリモートコントローラ１１７と映像表示器１１４
のメニュー画面などとを用いた対話的な機構を構成しうる。
【００６６】
本実施形態を適用することにより、液晶画面の応答特性を超えた色合いの異なる画像同
士のクロストークを軽減させることができ、より見やすい画像を提供することができる。
特に、画質の高低よりクロストーク有無が重視される場面（ゲーム画面等）で本実施形態
は利用されうる。画像入力Ａ、画像入力Ｂおよび画像入力Ｃとしては、放送由来のほかに
、USB機器やDVDやネットワーク経由のもの等様々なコンテンツが利用できうる。
【００６７】
なお、この発明は上記実施形態に限定されるものではなく、この外その要旨を逸脱しな
い範囲で種々変形して実施することができる。
また、上記した実施の形態に開示されている複数の構成要素を適宜に組み合わせること
により、種々の発明を形成することができる。例えば、実施の形態に示される全構成要素
から幾つかの構成要素を削除しても良いものである。さらに、異なる実施の形態に係わる
構成要素を適宜組み合わせても良いものである。
【符号の説明】
【００６８】
１…入力画像データ並び替え部、２…バッファメモリＡ、３…バッファ制御部、４…メ
ガネシャッタ制御部、５…バッファメモリＢ、６…補正画像生成ブロック、１１１…デジ
タルテレビジョン放送受信装置、１１２…キャビネット、１１３…支持台、１１４…映像
表示器、１１５…スピーカ、１１６…操作部、１１７…リモートコントローラ、１１８…
受光部、１１９…第１のメモリカード、１２０…第２のメモリカード、１２１…第１のＬ
ＡＮ端子、１２２…第２のＬＡＮ端子、１２３…ＵＳＢ端子、１２４…ｉ．ＬＩＮＫ端子
、１２５，１２７，１３９…ＨＤＤ、１２６，１３５…ハブ、１２８，１３３…コンテン
ツサーバー、１２９…ＤＶＤレコーダ、１３０…アナログ伝送路、１３１…ブロードバン
ドルータ、１３２…ネットワーク、１３４，１３６…携帯電話、１３７…デジタルカメラ
、１３８…カードリーダ／ライタ、１４０…キーボード、１４１…ＡＶ−ＨＤＤ、１４２
…Ｄ−ＶＨＳ。
【図１】
2011259177.tif 000003
【図２】
2011259177.tif 000004
【図３】
2011259177.tif 000005
【図４】
2011259177.tif 000006
【図５】
2011259177.tif 000007
【図６】
2011259177.tif 000008
【図７】
2011259177.tif 000009
【図８】
2011259177.tif 000010
【図９】
2011259177.tif 000011
【手続補正書】
【提出日】平成23年10月14日(2011.10.14)
【手続補正１】
【補正対象書類名】特許請求の範囲
【補正対象項目名】全文
【補正方法】変更
【補正の内容】
【特許請求の範囲】
【請求項１】
マルチビューシステムを用いる画像出力装置であって、
複数の系統から画像を入力しこれらの画像が連続するよう時分割で出力する入力画像データ並び替え部と、
この入力画像データ並び替え部の出力と同期する信号を発生するメガネシャッタ制御部と、
連続する前記出力の色合いが近づくよう補正する補正画像生成ブロックとを
備えた画像出力装置。
【請求項２】
前記補正画像生成ブロックは、R/G/Bの各成分についてそれぞれパラメータを用いた計算により補正する請求項１に記載の画像出力装置。
【請求項３】
前記パラメータは連続する前記出力間あるいは一つの前記出力において変移する請求項２に記載の画像出力装置。
【請求項４】
前記補正画像生成ブロックにより補正された連続する前記出力を表示する映像表示器を更に備えた請求項１に記載の画像出力装置。
【請求項５】
マルチビューシステムにおける画像出力方法であって、
複数の系統から画像を入力しこれらの画像が連続するよう時分割で出力し、
各出力された前記画像と同期する信号を発生し、
連続する前記画像の色合いが近づくよう補正する画像出力方法。
【手続補正２】
【補正対象書類名】明細書
【補正対象項目名】０００６
【補正方法】変更
【補正の内容】
【０００６】
上記課題を解決するために、実施形態の画像出力装置によれば、マルチビューシステムを用いる画像出力装置であって、複数の系統から画像を入力しこれらの画像が連続するよう時分割で出力する入力画像データ並び替え部と、この入力画像データ並び替え部の出力と同期する信号を発生するメガネシャッタ制御部と、連続する前記出力の色合いが近づくよう補正する補正画像生成ブロックとを備えた。
【手続補正３】
【補正対象書類名】明細書
【補正対象項目名】００５７
【補正方法】変更
【補正の内容】
【００５７】
実施形態の特徴的な部分として補正画像生成ブロック６は、バッファメモリＢ５を制御しながら、画像Vxを出力する。補正画像生成ブロック６は、ある時刻の送信画像データVxと、その次の送信画像データVx+1の各画素の中間の値（例として、正規化されたパラメータa(0＜a≦1)を現画像に、および(1-a)を次画像に、それぞれに乗じた和。なお、a=1のときは無補正を意味する）を計算し、画像出力装置への出力を行う（必要に応じてバッファメモリＢ５に保存する）。この補正により現画像と次画像との色合いの差が少なくなるので、クロストークの低減を図ることができる。